(57)【要約】  多チャンネル無線信号処理集積回路（１０Ａ）は、外部から供給される基準クロック信号に基づいてローカル信号を生成し、当該ローカル信号を用いて、多チャンネルの無線信号から所望のチャンネルを選局するアナログ信号処理部（１０１）と、アナログ信号処理部（１０１）で選局されたチャンネルの信号についてデジタル復調を行うデジタル信号処理部（１０２）と、基準クロック信号に基づいて、デジタル信号処理部（１０２）の動作クロック信号を生成する動作クロック生成部（１０３）と、動作クロック生成部（１０３）に対して、アナログ信号処理部（１０１）で選局されるチャンネルに応じて、生成すべき動作クロック信号の周波数を指定する制御部（１０４）とを備えている。
2008099545.tif 000002
【特許請求の範囲】
【請求項１】
受信した多チャンネルの無線信号を処理する集積回路であって、
当該集積回路外部から供給される基準クロック信号に基づいてローカル信号を生成し、当該ローカル信号を用いて、前記多チャンネルの無線信号から所望のチャンネルを選局するアナログ信号処理部と、
前記アナログ信号処理部で選局されたチャンネルの信号についてデジタル復調を行うデジタル信号処理部と、
前記基準クロック信号に基づいて、前記デジタル信号処理部の動作クロック信号を生成する動作クロック生成部と、
前記動作クロック生成部に対して、前記アナログ信号処理部で選局されるチャンネルに応じて、生成すべき前記動作クロック信号の周波数を指定する制御部とを備えた
ことを特徴とする集積回路。
【請求項２】
請求項１に記載の集積回路において、
前記制御部は、前記アナログ信号処理部で選局可能なチャンネルと各チャンネルが選局されたときに指定すべき前記動作クロック信号の周波数とが対応付けられたテーブルを参照して、前記動作クロック信号の周波数を指定する
ことを特徴とする集積回路。
【請求項３】
請求項１に記載の集積回路において、
前記動作クロック生成部は、前記基準クロック信号を可変分周比で分周する分周器を有するものであり、
前記制御部は、前記分周器の分周比を指定する
ことを特徴とする集積回路。
【請求項４】
請求項１に記載の集積回路において、
前記動作クロック生成部は、前記基準クロック信号を受けて前記動作クロック信号を出力するＰＬＬを有するものであり、
前記制御部は、前記ＰＬＬの出力周波数を指定する
ことを特徴とする集積回路。
【請求項５】
請求項４に記載の集積回路において、
前記ＰＬＬは、前記基準クロック信号の周波数を逓倍した前記動作クロック信号を出力する
ことを特徴とする集積回路。
【請求項６】
請求項４に記載の集積回路において、
前記ＰＬＬは、前記基準クロック信号の周波数を分数倍した前記動作クロック信号を出力する
ことを特徴とする集積回路。
【請求項７】
請求項４に記載の集積回路において、
前記制御部は、前記動作クロック信号の高調波及び前記ＰＬＬのループ帯域内位相ノイズの高調波が前記アナログ信号処理部で選局されるチャンネルからずれるように、前記ＰＬＬの出力周波数を指定する
ことを特徴とする集積回路。
【請求項８】
受信した多チャンネルの無線信号を処理する集積回路であって、
発振周波数が可変である外部発振器から供給される基準クロック信号に基づいてローカル信号を生成し、当該ローカル信号を用いて、前記多チャンネルの無線信号から所望のチャンネルを選局するアナログ信号処理部と、
前記基準クロック信号を動作クロック信号として受け、前記アナログ信号処理部で選局されたチャンネルの信号についてデジタル復調を行うデジタル信号処理部と、
前記外部発振器に対して、前記アナログ信号処理部で選局されるチャンネルに応じて、発振すべき周波数を指定する制御部とを備えた
ことを特徴とする集積回路。
【請求項９】
受信した多チャンネルの無線信号を処理する集積回路であって、
外部発振器から互いに異なる複数の基準クロック信号を受け、これらのいずれか一つを選択的に出力する選択部と、
前記複数の基準クロック信号のいずれか一つに基づいてローカル信号を生成し、当該ローカル信号を用いて、前記多チャンネルの無線信号から所望のチャンネルを選局するアナログ信号処理部と、
前記選択部から出力された基準クロック信号を動作クロック信号として受け、前記アナログ信号処理部で選局されたチャンネルの信号についてデジタル復調を行うデジタル信号処理部と、
前記アナログ信号処理部で選局されるチャンネルに応じて、前記選択部による信号選択を制御する制御部とを備えた
ことを特徴とする集積回路。
【請求項１０】
請求項９に記載の集積回路において、
前記アナログ信号処理部は、前記選択部から出力された基準クロック信号を受ける
ことを特徴とする集積回路。
【請求項１１】
請求項１に記載の集積回路を備えた
ことを特徴とする多チャンネル放送受信装置。
【請求項１２】
請求項１に記載の集積回路を備えた
ことを特徴とする多チャンネル無線通信装置。
【発明の詳細な説明】
【技術分野】
【０００１】
本発明は、受信した多チャンネルの無線信号を処理する集積回路に関し、デジタルテレビジョン放送などの広帯域・多チャンネルの無線信号を処理する集積回路に関する。
【背景技術】
【０００２】
一般に、多チャンネル無線通信の受信システムは、受信した多チャンネル無線信号から所望のチャンネルを選局するアナログ信号処理部、当該選局されたチャンネルの信号についてデジタル復調を行うデジタル信号処理部、水晶発振器などから供給される基準クロック信号に基づいてデジタル信号処理部の動作クロック信号を生成する動作クロック生成部を備えている。アナログ信号処理部は、高周波・ノイズ特性に優れたバイポーラトランジスタで構成される。一方、デジタル信号処理部は、コスト・消費電力・回路面積に有利なＭＯＳトランジスタで構成される。【０００３】
上記のような受信システムでは、動作クロック生成部からデジタル信号処理部に供給される動作クロック信号の高調波（デジタルノイズ）がアナログ信号処理部にリークすると、これが妨害波となって受信感度特性が劣化してしまうことがある。この問題について、携帯端末向けの地上波デジタルテレビジョン放送（ワンセグ放送）を例に説明する。【０００４】
ワンセグ放送は、ＵＨＦ帯の第１３チャンネル（４７４ＭＨｚ）から第６２チャンネル（７６８ＭＨｚ）までの４９チャンネルで構成されている。隣接するチャンネルの間隔は６ＭＨｚであり、各チャンネルの占有周波数帯域は４３０ｋＨｚである。ここで、受信システムにおいてデジタル信号処理部が３０ＭＨｚの動作クロック信号で動作している場合、その高調波がアナログ信号処理部にリークすることにより、３０ＭＨｚの整数倍周波数にスプリアスが現れる。特に、第２５次高調波と第５９チャンネルの中心周波数とは同じ７５０ＭＨｚであるため、当該高調波が妨害波となって当該チャンネルの受信感度を低下させてしまう。【０００５】
上記問題に鑑み、動作クロック生成部における可変容量ダイオードの容量値を変化させることで動作クロック信号の周波数を微小変化させ、動作クロック信号と選局すべきチャンネルとの間の相互干渉を回避しているものがある（例えば、特許文献１参照）。また、時計用などの低速の基準クロック信号から、選局すべきチャンネルに悪影響を及ぼすことのない、ＣＰＵ用などの高速の動作クロック信号を生成しているものがある（例えば、特許文献２参照）。また、受信周波数におけるスプリアスの干渉レベルを内蔵アンテナで測定し、当該干渉レベルが基準値以上ならば動作クロック信号の周波数を変更するものがある（例えば、特許文献３参照）。
【特許文献１】特開平７−３０３０７９号公報（第１−４頁、第１−２図）
【特許文献２】特開平１１−３５５１６１号公報（第１−４頁、第１−３図）
【特許文献３】特開２０００−６８８７２号公報（第１−１２頁、第１−１０図）
【発明の開示】
【発明が解決しようとする課題】
【０００６】
しかし、上記の従来技術に係る受信システムにはそれぞれ次のような問題点がある。特許文献１に係る受信システムでは、動作クロック信号の周波数を±数十ｐｐｍ程度しか変化させることができない。このため、地上波デジタルテレビジョン放送のように１チャンネル当たりの占有周波数帯域が大きなアプリケーションではデジタルノイズの影響を十分に除去できないおそれがある。特許文献２に係る受信システムでは、低速の基準クロック信号からアナログ信号処理部のローカル信号を生成しようとすると、これら信号の周波数比が非常に大きくなる。このため、ローカル信号の位相ノイズ特性などが劣化し、十分な受信感度が得られなくなるおそれがある。特許文献３に係る受信システムでは、高調波検出のために内蔵アンテナをはじめとする大規模な回路が必要となり、また、制御が複雑化する。このため、消費電力及びコスト面で不利となる。【０００７】
また、近年のＣＭＯＳプロセス技術の発展に伴ってＭＯＳトランジスタの高性能化が飛躍的に進んだことにより、ＭＯＳトランジスタによる無線信号処理が可能となりつつある。これにより、同一のＣＭＯＳ基板上にアナログ信号処理部とデジタル信号処理部とを混載させることが可能となり、受信システムの小型化、低消費電力化、低コスト化、さらには、携帯電話機をはじめとする無線通信機器への各種無線通信アプリケーションの搭載が期待されている。【０００８】
アナログ信号処理部とデジタル信号処理部とがそれぞれ異なるチップで構成されている場合、モジュールにおける部品配置の最適化や電源強化、電磁シールドなどの対策を講じることにより、デジタルノイズの影響を比較的容易に回避することができる。しかし、１チップ構成の場合、同様の対策を講じることは困難である上に、アナログ信号処理部とデジタル信号処理部とで基板が共通であることによって、基板経由で伝播するノイズによる受信感度特性の劣化といった新たな問題が発生してしまう。【０００９】
上記問題に鑑み、本発明は、多チャンネル無線信号処理集積回路において、デジタルノイズに起因する受信感度特性の劣化を抑制することを課題とする。
【課題を解決するための手段】
【００１０】
上記問題を解決するために本発明が講じた手段は、受信した多チャンネルの無線信号を処理する集積回路として、当該集積回路外部から供給される基準クロック信号に基づいてローカル信号を生成し、当該ローカル信号を用いて、多チャンネルの無線信号から所望のチャンネルを選局するアナログ信号処理部と、アナログ信号処理部で選局されたチャンネルの信号についてデジタル復調を行うデジタル信号処理部と、当該基準クロック信号に基づいて、デジタル信号処理部の動作クロック信号を生成する動作クロック生成部と、動作クロック生成部に対して、アナログ信号処理部で選局されるチャンネルに応じて、生成すべき動作クロック信号の周波数を指定する制御部とを備えたものとする。【００１１】
これによると、アナログ信号処理部におけるローカル信号の基となる基準クロック信号から、アナログ信号処理部で選局されるチャンネルに干渉しない動作クロック信号が生成され、当該動作クロック信号によってデジタル信号処理部が駆動される。したがって、多チャンネル無線信号処理集積回路において、デジタルノイズに起因する受信感度特性の劣化を抑制することができる。【００１２】
好ましくは、制御部は、アナログ信号処理部で選局可能なチャンネルと各チャンネルが選局されたときに指定すべき動作クロック信号の周波数とが対応付けられたテーブルを参照して、動作クロック信号の周波数を指定するものとする。これによると、テーブルに示された情報に従って動作クロック信号の周波数の指定をすればよいため、当該指定が容易になる。【００１３】
具体的には、動作クロック生成部は、基準クロック信号を可変分周比で分周する分周器を有するものであり、制御部は、分周器の分周比を指定するものである。あるいは、動作クロック生成部は、基準クロック信号を受けて動作クロック信号を出力するＰＬＬを有するものであり、制御部は、ＰＬＬの出力周波数を指定するものである。ＰＬＬは、基準クロック信号の周波数を逓倍あるいは分数倍した前記動作クロック信号を出力するものである。そして、好ましくは、制御部は、動作クロック信号の高調波及びＰＬＬのループ帯域内位相ノイズの高調波がアナログ信号処理部で選局されるチャンネルからずれるように、ＰＬＬの出力周波数を指定するものとする。これにより、ＰＬＬ位相ノイズの高調波に起因する受信感度特性の劣化を抑制することができる。【００１４】
一方、本発明が講じた手段は、受信した多チャンネルの無線信号を処理する集積回路として、発振周波数が可変である外部発振器から供給される基準クロック信号に基づいてローカル信号を生成し、当該ローカル信号を用いて、多チャンネルの無線信号から所望のチャンネルを選局するアナログ信号処理部と、当該基準クロック信号を動作クロック信号として受け、アナログ信号処理部で選局されたチャンネルの信号についてデジタル復調を行うデジタル信号処理部と、外部発振器に対して、アナログ信号処理部で選局されるチャンネルに応じて、発振すべき周波数を指定する制御部とを備えたものとする。【００１５】
これによると、アナログ信号処理部におけるローカル信号の基となる基準クロック信号によってデジタル信号処理部が駆動され、当該基準クロック信号の周波数はアナログ信号処理部で選局されるチャンネルに干渉しないようなものに設定される。したがって、多チャンネル無線信号処理集積回路において、デジタルノイズに起因する受信感度特性の劣化を抑制することができる。さらに、デジタル信号処理部の動作クロック信号を集積回路内部で生成しなくてもよいため、当該集積回路の回路面積を縮小することができる。【００１６】
また、本発明が講じた手段は、受信した多チャンネルの無線信号を処理する集積回路として、外部発振器から互いに異なる複数の基準クロック信号を受け、これらのいずれか一つを選択的に出力する選択部と、当該複数の基準クロック信号のいずれか一つに基づいてローカル信号を生成し、当該ローカル信号を用いて、多チャンネルの無線信号から所望のチャンネルを選局するアナログ信号処理部と、選択部から出力された基準クロック信号を動作クロック信号として受け、アナログ信号処理部で選局されたチャンネルの信号についてデジタル復調を行うデジタル信号処理部と、アナログ信号処理部で選局されるチャンネルに応じて、選択部による信号選択を制御する制御部とを備えたものとする。アナログ信号処理部は、選択部から出力された基準クロック信号を受けるようにしてもよい。【００１７】
これによると、デジタル信号処理部の動作クロック信号として、アナログ信号処理部におけるローカル信号の基となる基準クロック信号を含む複数の基準クロック信号の中から、アナログ信号処理部で選局されるチャンネルに干渉しないようなものが選択される。したがって、多チャンネル無線信号処理集積回路において、デジタルノイズに起因する受信感度特性の劣化を抑制することができる。さらに、デジタル信号処理部の動作クロック信号が複数の基準クロック信号の中からいずれか一つを選択するだけで得られるため、構成が簡略化でき、当該集積回路の回路面積を縮小することができる。
【発明の効果】
【００１８】
本発明によると、多チャンネル無線信号処理集積回路、その中でも特に１チップ化されたものにおいて、デジタルノイズに起因する受信感度特性の劣化を抑制することができる。
【図面の簡単な説明】
【００１９】
【図１】図１は、第１の実施形態に係る多チャンネル無線信号処理集積回路の構成図である。
【図２】図２は、分周器で構成された動作クロック生成部の構成図である。
【図３】図３は、ＰＬＬで構成された動作クロック生成部の構成図である。
【図４】図４は、２８ＭＨｚ及び３５ＭＨｚの動作クロック信号の高調波とこれにより影響を受けるワンセグ放送のチャンネルとの関係を示した表である。
【図５】図５は、動作クロック生成部を分周器で構成する場合のテーブルを示す図である。
【図６】図６は、動作クロック生成部を逓倍ＰＬＬで構成する場合のテーブルを示す図である。
【図７】図７は、２８ＭＨｚ及び３０ＭＨｚの動作クロック信号の高調波とこれにより影響を受けるワンセグ放送のチャンネルとの関係を示した表である。
【図８】図８は、動作クロック生成部を分数倍ＰＬＬで構成する場合のテーブルを示す図である。
【図９】図９は、第２の実施形態に係る多チャンネル無線信号処理集積回路の構成図である。
【図１０】図１０は、外部発振器の制御電圧と発振周波数との関係を示したグラフである。
【図１１】図１１は、外部発振器を制御する場合のテーブルを示す図である。
【図１２】図１２は、第３の実施形態に係る多チャンネル無線信号処理集積回路の構成図である。
【図１３】図１３は、外部発振器を選択する場合のテーブルを示す図である。
【図１４】図１４は、本発明に係る多チャンネル無線信号処理集積回路を備えた多チャンネル放送受信装置の概観図である。
【図１５】図１５は、本発明に係る多チャンネル無線信号処理集積回路を備えた多チャンネル無線通信装置の概観図である。
【符号の説明】
【００２０】
１０Ａ−１０Ｃ  多チャンネル無線信号処理集積回路
１０１    アナログ信号処理部
１０２    デジタル信号処理部
１０３    動作クロック生成部
１０３ａ  分周器
１０３ｂ  ＰＬＬ
１０４    制御部
１０５    テーブル
１０６    選択部
３０Ａ−３０Ｃ  外部発振器
１００    デジタルテレビジョン受像機（多チャンネル放送受信装置）
２００    携帯電話機（多チャンネル無線通信装置）
【発明を実施するための最良の形態】
【００２１】
以下、本発明を実施するための最良の形態について、図面を参照しながら説明する。【００２２】
（第１の実施形態）
図１は、第１の実施形態に係る多チャンネル無線信号処理集積回路の構成を示す。本集積回路１０Ａにおいて、アナログ信号処理部１０１は、アンテナ２０が受信する多チャンネル無線信号を受け、これから所望のチャンネルを選局する。具体的には、アナログ信号処理部１０１は、水晶振動子などの外部発振器３０Ａから供給される高精度の基準クロック信号ＲＥＦに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。動作クロック生成部１０３は、基準クロック信号ＲＥＦに基づいて動作クロック生成部１０２を駆動するための動作クロック信号ＣＫを生成する。制御部１０４は、動作クロック生成部１０３に制御信号ＣＴＬを出力して、動作クロック生成部１０３において生成すべき動作クロック信号ＣＫの周波数を指定する。テーブル１０５には当該指定に係る情報が格納されている。【００２３】
具体的には、動作クロック生成部１０３は、分周比が可変の分周器で構成可能である。図２に示したように、制御信号ＣＴＬによって１／Ｎ分周が指定されているとき、分周器１０３ａは、周波数ｆ０の基準クロック信号ＲＥＦを１／Ｎ分周して周波数ｆ０／Ｎの動作クロック信号ＣＫを生成する。【００２４】
また、具体的には、動作クロック生成部１０３はＰＬＬ（Phase Locked Loop）で構成可能である。図３に示したように、制御信号ＣＴＬによってＭ逓倍が指定されているとき、ＰＬＬ１０３ｂは、周波数ｆ０の基準クロック信号ＲＥＦをＭ逓倍して周波数Ｍｆ０の動作クロック信号ＣＫを生成する。ＰＬＬ１０３ｂは、基準クロック信号ＲＥＦの周波数を分周倍するものであってもよい。この場合、ＰＬＬ１０３ｂは、周波数Ｍ／Ｎｆ０の動作クロック信号ＣＫを生成する。【００２５】
次に、ワンセグ放送を例に、制御部１０４による動作クロック信号ＣＫの周波数指定について説明する。図４は、２８ＭＨｚ及び３５ＭＨｚの動作クロック信号ＣＫの高調波とこれにより影響を受けるワンセグ放送のチャンネルとの関係を示した表である。同表からわかるように、２８ＭＨｚの動作クロック信号ＣＫの第１８次高調波その他は第１８チャンネルその他に干渉する。また、３５ＭＨｚの動作クロック信号ＣＫの第１８次高調波は第３９チャンネルに干渉する。したがって、アナログ信号処理部１０１で第１８チャンネルその他が選局されるときには動作クロック信号ＣＫの周波数を３５ＭＨｚに設定し、第３９チャンネルが選局されるときには２８ＭＨｚに設定する。【００２６】
具体的には、図２に示したように動作クロック生成部１０３を分周器１０３ａで構成する場合、テーブル１０５は図５に示したようになる。基準クロック信号ＲＥＦの周波数が１４０ＭＨｚの場合、それを１／５又は１／４分周すれば２８ＭＨｚ又は３５ＭＨｚの動作クロック信号ＣＫが得られる。制御部１０４は、テーブル１０５を参照して、アナログ信号処理部１０１で選局されるチャンネルに応じて分周器１０３ａの分周比を指定する。すなわち、第１８チャンネルその他が選局されるときには分周器１０３ａに１／４分周を指定する。一方、第３９チャンネルが選局されるときには分周器１０３ａに１／５分周を指定する。なお、第１３チャンネルその他が選局されるときには動作クロック信号ＣＫの周波数は２８ＭＨｚ及び３５ＭＨｚのいずれであってもよいため、分周器１０３ａに１／５又は１／４分周を指定する。【００２７】
また、具体的には、図３に示したように動作クロック生成部１０３をＰＬＬ１０３ｂ（特に、逓倍ＰＬＬ）で構成する場合、テーブル１０５は図６に示したようになる。基準クロック信号ＲＥＦの周波数が７ＭＨｚの場合、それを４又は５逓倍すれば２８ＭＨｚ又は３５ＭＨＺの動作クロック信号ＣＫが得られる。制御部１０４は、テーブル１０５を参照して、アナログ信号処理部１０１で選局されるチャンネルに応じてＰＬＬ１０３ｂの出力周波数を指定する。すなわち、第１８チャンネルその他が選局されるときにはＰＬＬ１０３ｂに５逓倍を指定する。一方、第３９チャンネルが選局されるときにはＰＬＬ１０３ｂに４逓倍を指定する。なお、第１３チャンネルその他が選局されるときには動作クロック信号ＣＫの周波数は２８ＭＨｚ及び３５ＭＨｚのいずれであってもよいため、ＰＬＬ１０３ｂに４又は５逓倍を指定する。【００２８】
一方、図７は、２８ＭＨｚ及び３０ＭＨｚの動作クロック信号ＣＫの高調波とこれにより影響を受けるワンセグ放送のチャンネルとの関係を示した表である。同表からわかるように、２８ＭＨｚの動作クロック信号ＣＫの第１８次高調波その他は第１８チャンネルその他に干渉する。また、３０ＭＨｚの動作クロック信号ＣＫの第１６次高調波その他は第１４チャンネルその他に干渉する。したがって、アナログ信号処理部１０１で第１８チャンネルその他が選局されるときには動作クロック信号ＣＫの周波数を３０ＭＨｚに設定し、第１４チャンネルその他が選局されるときには３０ＭＨｚに設定する。【００２９】
具体的には、図３に示したように動作クロック生成部１０３をＰＬＬ１０３ｂ（特に、分周倍ＰＬＬ）で構成する場合、テーブル１０５は図８に示したようになる。基準クロック信号ＲＥＦの周波数が２４ＭＨｚの場合、それを７／６又は５／４倍すれば２８ＭＨｚ又は３０ＭＨＺの動作クロック信号ＣＫが得られる。制御部１０４は、テーブル１０５を参照して、アナログ信号処理部１０１で選局されるチャンネルに応じてＰＬＬ１０３ｂの出力周波数を指定する。すなわち、第１４チャンネルその他が選局されるときにはＰＬＬ１０３ｂに７／６倍を指定する。一方、第１８チャンネルその他が選局されるときにはＰＬＬ１０３ｂに５／４倍を指定する。なお、第１３チャンネルその他が選局されるときには動作クロック信号ＣＫの周波数は２８ＭＨｚ及び３０ＭＨｚのいずれであってもよいため、ＰＬＬ１０３ｂに７／６又は５／４倍を指定する。【００３０】
以上、本実施形態によると、多チャンネル無線信号処理集積回路において、デジタル信号処理部の動作クロック信号の高調波に起因してアナログ信号処理部における受信チャンネルの受信感度が劣化することがない。【００３１】
なお、動作クロック生成部１０３をＰＬＬで構成した場合、ＰＬＬループ帯域内の位相ノイズの高調波が受信チャンネルに干渉して受信感度が劣化するおそれがある。例えば、動作クロック生成部１０３からデジタル信号処理部１０２に２７.５ＭＨｚの動作クロック信号ＣＫが供給されている場合、その第１９次高調波（周波数５２２．５ＭＨｚ）はワンセグ放送の第２１チャンネルの中心周波数５２２ＭＨｚから５００ｋＨｚだけずれているが、位相ノイズの高調波が当該チャンネルに干渉することによって当該チャンネルの受信感度が劣化してしまう。したがって、動作クロック生成部１０３をＰＬＬで構成する場合には、位相ノイズの高調波をも考慮して動作クロック信号ＣＫを生成することが好ましい。【００３２】
（第２の実施形態）
図９は、第２の実施形態に係る多チャンネル無線信号処理集積回路の構成を示す。本集積回路１０Ｂにおいて、アナログ信号処理部１０１は、アンテナ２０が受信する多チャンネル無線信号を受け、これから所望のチャンネルを選局する。具体的には、アナログ信号処理部１０１は、水晶発振器などの外部発振器３０Ｂから供給される高精度の基準クロック信号ＲＥＦに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。デジタル信号処理部１０２は、基準クロック信号ＲＥＦを動作クロック信号ＣＫとして受けて動作する。制御部１０４は、外部発振器３０Ｂに制御信号ＣＴＬを出力して、発振すべき周波数を指定する。テーブル１０５には当該指定に係る情報が格納されている。【００３３】
図１０に示したように、外部発振器３０Ｂの発振周波数は制御信号ＣＴＬの電圧に応じて変化する。例えば、３．１Ｖ又は３．８Ｖの制御信号ＣＴＬを与えることにより、外部発振器３０Ｂは２８ＭＨｚ又は３５ＭＨｚで発振する。これら周波数の動作クロック信号ＣＫの高調波とこれにより影響を受けるワンセグ放送のチャンネルとの関係は図４に示したとおりである。したがって、外部発振器３０Ｂを３．１Ｖ又は３．８Ｖの制御信号ＣＴＬで制御する場合、テーブル１０５は図１１に示したようになる。制御部１０４は、テーブル１０５を参照して、アナログ信号処理部１０１で選局されるチャンネルに応じて外部発振器３０Ｂの発振周波数を指定する。すなわち、第１８チャンネルその他が選局されるときには制御信号ＣＴＬを３．８Ｖに設定する。一方、第３９チャンネルが選局されるときには制御信号ＣＴＬを３．１Ｖに設定する。なお、第１３チャンネルその他が選局されるときには動作クロック信号ＣＫの周波数は２８ＭＨｚ及び３５ＭＨｚのいずれであってもよいため、制御信号ＣＴＬを３．１Ｖ又は３．８Ｖに設定する。【００３４】
以上、本実施形態によると、デジタル信号処理部の動作クロック信号を生成する回路を備える必要がないため、第１の実施形態と比較して回路規模を小さくすることができる。なお、基準クロック信号ＲＥＦの波形整形をするためにバッファ回路を設けてもよい。【００３５】
（第３の実施形態）
図１２は、第３の実施形態に係る多チャンネル無線信号処理集積回路の構成を示す。本集積回路１０Ｃにおいて、選択部１０６は、水晶振動子などの外部発振器３０Ｃから互いに異なる二つの基準クロック信号ＲＥＦ１及びＲＥＦ２を受け、これらのいずれか一方を動作クロック信号ＣＫとして選択的に出力する。アナログ信号処理部１０１は、アンテナ２０が受信する多チャンネル無線信号を受け、これから所望のチャンネルを選局する。具体的には、アナログ信号処理部１０１は、動作クロック信号ＣＫに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。デジタル信号処理部１０２は、選択部１０６から出力される動作クロック信号ＣＫに同期して動作する。制御部１０４は、選択部１０６に制御信号ＣＴＬを出力して、選択部１０６による信号選択を制御する。テーブル１０５には当該制御に係る情報が格納されている。【００３６】
例えば、基準クロック信号ＲＥＦ１及びＲＥＦ２の周波数が、それぞれ、２８ＭＨｚ及び３５ＭＨｚの場合、これら周波数の動作クロック信号ＣＫの高調波とこれにより影響を受けるワンセグ放送のチャンネルとの関係は図４に示したとおりである。したがって、外部発振器３０Ｃから２８ＭＨｚ及び３５ＭＨｚの基準クロック信号ＲＥＦ１及びＲＥＦ２を受ける場合、テーブル１０５は図１３に示したようになる。制御部１０４は、テーブル１０５を参照して、アナログ信号処理部１０１で選局されるチャンネルに応じて選択部１０６に信号選択を指示する。すなわち、第１８チャンネルその他が選局されるときには基準クロック信号ＲＥＦ２の選択を指示する。一方、第３９チャンネルが選局されるときには基準クロック信号ＲＥＦ１の選択を指示する。なお、第１３チャンネルその他が選局されるときには動作クロック信号ＣＫの周波数は２８ＭＨｚ及び３５ＭＨｚのいずれであってもよいため、基準クロック信号ＲＥＦ１又はＲＥＦ２の選択を指示する。【００３７】
以上、本実施形態によると、制御部の構成が第１及び第２の実施形態のときよりも簡略化されるため、全体の回路規模をより一層小さくすることができる。なお、アナログ信号処理部１０１に、選択部１０６から出力される動作クロック信号ＣＫではなく、基準クロック信号ＲＥＦ１及びＲＥＦ２のいずれか一方を固定的に与えるようにしてもよい。【００３８】
なお、上記の各実施形態において、３種類以上の動作クロック信号ＣＫを適宜切り替えてデジタル信号処理部１０２を動作させるようにしてもよい。また、テーブル１０５は省略可能である。テーブル１０５を省略する場合、制御部１０４において、アナログ信号処理部１０１で選局されるチャンネルに応じて当該チャンネルに干渉しないような動作クロック信号の周波数を算出するようにすればよい。【００３９】
また、本発明は受信系に限定されず、送信系にも適用可能である。送信システムを実現する場合には、アナログ信号処理部の送信チャンネルに、デジタル信号処理部の動作クロック信号の高調波が干渉しないように動作クロック信号の周波数を決定すればよい。【００４０】
また、上記の各実施形態において、アナログ信号処理部１０１、デジタル信号処理部１０２その他の各構成要素は、必ずしも同一チップに集積されていなくてもよい。【００４１】
（応用製品）
図１４は、本発明に係る多チャンネル無線信号処理集積回路を備えた多チャンネル放送受信装置の概観を示す。多チャンネル放送受信装置として、例えば、デジタルテレビジョン受像機１００は、本発明に係る多チャンネル無線信号処理集積回路１０を備えている。また、図１５は、本発明に係る多チャンネル無線信号処理集積回路を備えた多チャンネル無線通信装置の概観を示す。多チャンネル無線通信装置として、例えば、携帯電話機２００は、本発明に係る多チャンネル無線信号処理集積回路１０を備えている。
【産業上の利用可能性】
【００４２】
本発明に係る多チャンネル無線信号処理集積回路は、全チャンネルについて高い受信感度特性を有するため、広帯域・多チャンネルのデジタルテレビジョン放送を受信する多チャンネル放送受信装置や、広帯域・多チャンネルの無線通信信号を送受信する多チャンネル無線通信装置などに有用である。
【図１】
2008099545.tif 000003
【図２】
2008099545.tif 000004
【図３】
2008099545.tif 000005
【図４】
2008099545.tif 000006
【図５】
2008099545.tif 000007
【図６】
2008099545.tif 000008
【図７】
2008099545.tif 000009
【図８】
2008099545.tif 000010
【図９】
2008099545.tif 000011
【図１０】
2008099545.tif 000012
【図１１】
2008099545.tif 000013
【図１２】
2008099545.tif 000014
【図１３】
2008099545.tif 000015
【図１４】
2008099545.tif 000016
【図１５】
2008099545.tif 000017
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
受信した多チャンネルの無線信号を処理する集積回路であって、
当該集積回路外部から供給される基準クロック信号に基づいてローカル信号を生成し、当該ローカル信号を用いて、前記多チャンネルの無線信号から所望のチャンネルを選局するアナログ信号処理部と、
前記アナログ信号処理部で選局されたチャンネルの信号についてデジタル復調を行うデジタル信号処理部と、
前記基準クロック信号に基づいて、前記デジタル信号処理部の動作クロック信号を生成する動作クロック生成部と、
前記動作クロック生成部に対して、前記アナログ信号処理部で選局されるチャンネルに応じて、生成すべき前記動作クロック信号の周波数を指定する制御部とを備えた
ことを特徴とする集積回路。
【請求項２】
請求項１に記載の集積回路において、
前記制御部は、前記アナログ信号処理部で選局可能なチャンネルと各チャンネルが選局されたときに指定すべき前記動作クロック信号の周波数とが対応付けられたテーブルを参照して、前記動作クロック信号の周波数を指定する
ことを特徴とする集積回路。
【請求項３】
請求項１に記載の集積回路において、
前記動作クロック生成部は、前記基準クロック信号を可変分周比で分周する分周器を有するものであり、
前記制御部は、前記分周器の分周比を指定する
ことを特徴とする集積回路。
【請求項４】
請求項１に記載の集積回路において、
前記動作クロック生成部は、前記基準クロック信号を受けて前記動作クロック信号を出力するＰＬＬを有するものであり、
前記制御部は、前記ＰＬＬの出力周波数を指定する
ことを特徴とする集積回路。
【請求項５】
請求項４に記載の集積回路において、
前記ＰＬＬは、前記基準クロック信号の周波数を逓倍した前記動作クロック信号を出力する
ことを特徴とする集積回路。
【請求項６】
請求項４に記載の集積回路において、
前記ＰＬＬは、前記基準クロック信号の周波数を分数倍した前記動作クロック信号を出力する
ことを特徴とする集積回路。
【請求項７】
請求項４に記載の集積回路において、
前記制御部は、前記動作クロック信号の高調波及び前記ＰＬＬのループ帯域内位相ノイズの高調波が前記アナログ信号処理部で選局されるチャンネルからずれるように、前記ＰＬＬの出力周波数を指定する
ことを特徴とする集積回路。
【請求項８】
受信した多チャンネルの無線信号を処理する集積回路であって、
発振周波数が可変である外部発振器から供給される基準クロック信号に基づいてローカル信号を生成し、当該ローカル信号を用いて、前記多チャンネルの無線信号から所望のチャンネルを選局するアナログ信号処理部と、
前記基準クロック信号を動作クロック信号として受け、前記アナログ信号処理部で選局されたチャンネルの信号についてデジタル復調を行うデジタル信号処理部と、
前記外部発振器に対して、前記アナログ信号処理部で選局されるチャンネルに応じて、発振すべき周波数を指定する制御部とを備えた
ことを特徴とする集積回路。
【請求項９】
受信した多チャンネルの無線信号を処理する集積回路であって、
外部発振器から互いに異なる複数の基準クロック信号を受け、これらのいずれか一つを選択的に出力する選択部と、
前記複数の基準クロック信号のいずれか一つに基づいてローカル信号を生成し、当該ローカル信号を用いて、前記多チャンネルの無線信号から所望のチャンネルを選局するアナログ信号処理部と、
前記選択部から出力された基準クロック信号を動作クロック信号として受け、前記アナログ信号処理部で選局されたチャンネルの信号についてデジタル復調を行うデジタル信号処理部と、
前記アナログ信号処理部で選局されるチャンネルに応じて、前記選択部による信号選択を制御する制御部とを備えた
ことを特徴とする集積回路。
【請求項１０】
請求項９に記載の集積回路において、
前記アナログ信号処理部は、前記選択部から出力された基準クロック信号を受ける
ことを特徴とする集積回路。
【請求項１１】
請求項１に記載の集積回路を備えた
ことを特徴とする多チャンネル放送受信装置。
【請求項１２】
請求項１に記載の集積回路を備えた
ことを特徴とする多チャンネル無線通信装置。
【手続補正２】
【補正対象書類名】明細書
【補正対象項目名】全文
【補正方法】変更
【補正の内容】
【発明の詳細な説明】
【技術分野】
【０００１】
本発明は、受信した多チャンネルの無線信号を処理する集積回路に関し、デジタルテレビジョン放送などの広帯域・多チャンネルの無線信号を処理する集積回路に関する。
【背景技術】
【０００２】
一般に、多チャンネル無線通信の受信システムは、受信した多チャンネル無線信号から所望のチャンネルを選局するアナログ信号処理部、当該選局されたチャンネルの信号についてデジタル復調を行うデジタル信号処理部、水晶発振器などから供給される基準クロック信号に基づいてデジタル信号処理部の動作クロック信号を生成する動作クロック生成部を備えている。アナログ信号処理部は、高周波・ノイズ特性に優れたバイポーラトランジスタで構成される。一方、デジタル信号処理部は、コスト・消費電力・回路面積に有利なＭＯＳトランジスタで構成される。
【０００３】
上記のような受信システムでは、動作クロック生成部からデジタル信号処理部に供給される動作クロック信号の高調波（デジタルノイズ）がアナログ信号処理部にリークすると、これが妨害波となって受信感度特性が劣化してしまうことがある。この問題について、携帯端末向けの地上波デジタルテレビジョン放送（ワンセグ放送）を例に説明する。
【０００４】
ワンセグ放送は、ＵＨＦ帯の第１３チャンネル（４７４ＭＨｚ）から第６２チャンネル（７６８ＭＨｚ）までの４９チャンネルで構成されている。隣接するチャンネルの間隔は６ＭＨｚであり、各チャンネルの占有周波数帯域は４３０ｋＨｚである。ここで、受信システムにおいてデジタル信号処理部が３０ＭＨｚの動作クロック信号で動作している場合、その高調波がアナログ信号処理部にリークすることにより、３０ＭＨｚの整数倍周波数にスプリアスが現れる。特に、第２５次高調波と第５９チャンネルの中心周波数とは同じ７５０ＭＨｚであるため、当該高調波が妨害波となって当該チャンネルの受信感度を低下させてしまう。
【０００５】
上記問題に鑑み、動作クロック生成部における可変容量ダイオードの容量値を変化させることで動作クロック信号の周波数を微小変化させ、動作クロック信号と選局すべきチャンネルとの間の相互干渉を回避しているものがある（例えば、特許文献１参照）。また、時計用などの低速の基準クロック信号から、選局すべきチャンネルに悪影響を及ぼすことのない、ＣＰＵ用などの高速の動作クロック信号を生成しているものがある（例えば、特許文献２参照）。また、受信周波数におけるスプリアスの干渉レベルを内蔵アンテナで測定し、当該干渉レベルが基準値以上ならば動作クロック信号の周波数を変更するものがある（例えば、特許文献３参照）。
【特許文献１】特開平７−３０３０７９号公報（第１−４頁、第１−２図）
【特許文献２】特開平１１−３５５１６１号公報（第１−４頁、第１−３図）
【特許文献３】特開２０００−６８８７２号公報（第１−１２頁、第１−１０図）
【発明の開示】
【発明が解決しようとする課題】
【０００６】
しかし、上記の従来技術に係る受信システムにはそれぞれ次のような問題点がある。特許文献１に係る受信システムでは、動作クロック信号の周波数を±数十ｐｐｍ程度しか変化させることができない。このため、地上波デジタルテレビジョン放送のように１チャンネル当たりの占有周波数帯域が大きなアプリケーションではデジタルノイズの影響を十分に除去できないおそれがある。特許文献２に係る受信システムでは、低速の基準クロック信号からアナログ信号処理部のローカル信号を生成しようとすると、これら信号の周波数比が非常に大きくなる。このため、ローカル信号の位相ノイズ特性などが劣化し、十分な受信感度が得られなくなるおそれがある。特許文献３に係る受信システムでは、高調波検出のために内蔵アンテナをはじめとする大規模な回路が必要となり、また、制御が複雑化する。このため、消費電力及びコスト面で不利となる。
【０００７】
また、近年のＣＭＯＳプロセス技術の発展に伴ってＭＯＳトランジスタの高性能化が飛躍的に進んだことにより、ＭＯＳトランジスタによる無線信号処理が可能となりつつある。これにより、同一のＣＭＯＳ基板上にアナログ信号処理部とデジタル信号処理部とを混載させることが可能となり、受信システムの小型化、低消費電力化、低コスト化、さらには、携帯電話機をはじめとする無線通信機器への各種無線通信アプリケーションの搭載が期待されている。
【０００８】
アナログ信号処理部とデジタル信号処理部とがそれぞれ異なるチップで構成されている場合、モジュールにおける部品配置の最適化や電源強化、電磁シールドなどの対策を講じることにより、デジタルノイズの影響を比較的容易に回避することができる。しかし、１チップ構成の場合、同様の対策を講じることは困難である上に、アナログ信号処理部とデジタル信号処理部とで基板が共通であることによって、基板経由で伝播するノイズによる受信感度特性の劣化といった新たな問題が発生してしまう。
【０００９】
上記問題に鑑み、本発明は、多チャンネル無線信号処理集積回路において、デジタルノイズに起因する受信感度特性の劣化を抑制することを課題とする。
【課題を解決するための手段】
【００１０】
上記問題を解決するために本発明が講じた手段は、受信した多チャンネルの無線信号を処理する集積回路として、当該集積回路外部から供給される基準クロック信号に基づいてローカル信号を生成し、当該ローカル信号を用いて、多チャンネルの無線信号から所望のチャンネルを選局するアナログ信号処理部と、アナログ信号処理部で選局されたチャンネルの信号についてデジタル復調を行うデジタル信号処理部と、当該基準クロック信号に基づいて、デジタル信号処理部の動作クロック信号を生成する動作クロック生成部と、動作クロック生成部に対して、アナログ信号処理部で選局されるチャンネルに応じて、生成すべき動作クロック信号の周波数を指定する制御部とを備えたものとする。
【００１１】
これによると、アナログ信号処理部におけるローカル信号の基となる基準クロック信号から、アナログ信号処理部で選局されるチャンネルに干渉しない動作クロック信号が生成され、当該動作クロック信号によってデジタル信号処理部が駆動される。したがって、多チャンネル無線信号処理集積回路において、デジタルノイズに起因する受信感度特性の劣化を抑制することができる。
【００１２】
好ましくは、制御部は、アナログ信号処理部で選局可能なチャンネルと各チャンネルが選局されたときに指定すべき動作クロック信号の周波数とが対応付けられたテーブルを参照して、動作クロック信号の周波数を指定するものとする。これによると、テーブルに示された情報に従って動作クロック信号の周波数の指定をすればよいため、当該指定が容易になる。
【００１３】
具体的には、動作クロック生成部は、基準クロック信号を可変分周比で分周する分周器を有するものであり、制御部は、分周器の分周比を指定するものである。あるいは、動作クロック生成部は、基準クロック信号を受けて動作クロック信号を出力するＰＬＬを有するものであり、制御部は、ＰＬＬの出力周波数を指定するものである。ＰＬＬは、基準クロック信号の周波数を逓倍あるいは分数倍した前記動作クロック信号を出力するものである。そして、好ましくは、制御部は、動作クロック信号の高調波及びＰＬＬのループ帯域内位相ノイズの高調波がアナログ信号処理部で選局されるチャンネルからずれるように、ＰＬＬの出力周波数を指定するものとする。これにより、ＰＬＬ位相ノイズの高調波に起因する受信感度特性の劣化を抑制することができる。
【００１４】
一方、本発明が講じた手段は、受信した多チャンネルの無線信号を処理する集積回路として、発振周波数が可変である外部発振器から供給される基準クロック信号に基づいてローカル信号を生成し、当該ローカル信号を用いて、多チャンネルの無線信号から所望のチャンネルを選局するアナログ信号処理部と、当該基準クロック信号を動作クロック信号として受け、アナログ信号処理部で選局されたチャンネルの信号についてデジタル復調を行うデジタル信号処理部と、外部発振器に対して、アナログ信号処理部で選局されるチャンネルに応じて、発振すべき周波数を指定する制御部とを備えたものとする。
【００１５】
これによると、アナログ信号処理部におけるローカル信号の基となる基準クロック信号によってデジタル信号処理部が駆動され、当該基準クロック信号の周波数はアナログ信号処理部で選局されるチャンネルに干渉しないようなものに設定される。したがって、多チャンネル無線信号処理集積回路において、デジタルノイズに起因する受信感度特性の劣化を抑制することができる。さらに、デジタル信号処理部の動作クロック信号を集積回路内部で生成しなくてもよいため、当該集積回路の回路面積を縮小することができる。
【００１６】
また、本発明が講じた手段は、受信した多チャンネルの無線信号を処理する集積回路として、外部発振器から互いに異なる複数の基準クロック信号を受け、これらのいずれか一つを選択的に出力する選択部と、当該複数の基準クロック信号のいずれか一つに基づいてローカル信号を生成し、当該ローカル信号を用いて、多チャンネルの無線信号から所望のチャンネルを選局するアナログ信号処理部と、選択部から出力された基準クロック信号を動作クロック信号として受け、アナログ信号処理部で選局されたチャンネルの信号についてデジタル復調を行うデジタル信号処理部と、アナログ信号処理部で選局されるチャンネルに応じて、選択部による信号選択を制御する制御部とを備えたものとする。アナログ信号処理部は、選択部から出力された基準クロック信号を受けるようにしてもよい。
【００１７】
これによると、デジタル信号処理部の動作クロック信号として、アナログ信号処理部におけるローカル信号の基となる基準クロック信号を含む複数の基準クロック信号の中から、アナログ信号処理部で選局されるチャンネルに干渉しないようなものが選択される。したがって、多チャンネル無線信号処理集積回路において、デジタルノイズに起因する受信感度特性の劣化を抑制することができる。さらに、デジタル信号処理部の動作クロック信号が複数の基準クロック信号の中からいずれか一つを選択するだけで得られるため、構成が簡略化でき、当該集積回路の回路面積を縮小することができる。
【発明の効果】
【００１８】
本発明によると、多チャンネル無線信号処理集積回路、その中でも特に１チップ化されたものにおいて、デジタルノイズに起因する受信感度特性の劣化を抑制することができる。
【図面の簡単な説明】
【００１９】
【図１】図１は、第１の実施形態に係る多チャンネル無線信号処理集積回路の構成図である。
【図２】図２は、分周器で構成された動作クロック生成部の構成図である。
【図３】図３は、ＰＬＬで構成された動作クロック生成部の構成図である。
【図４】図４は、２８ＭＨｚ及び３５ＭＨｚの動作クロック信号の高調波とこれにより影響を受けるワンセグ放送のチャンネルとの関係を示した表である。
【図５】図５は、動作クロック生成部を分周器で構成する場合のテーブルを示す図である。
【図６】図６は、動作クロック生成部を逓倍ＰＬＬで構成する場合のテーブルを示す図である。
【図７】図７は、２８ＭＨｚ及び３０ＭＨｚの動作クロック信号の高調波とこれにより影響を受けるワンセグ放送のチャンネルとの関係を示した表である。
【図８】図８は、動作クロック生成部を分数倍ＰＬＬで構成する場合のテーブルを示す図である。
【図９】図９は、第２の実施形態に係る多チャンネル無線信号処理集積回路の構成図である。
【図１０】図１０は、外部発振器の制御電圧と発振周波数との関係を示したグラフである。
【図１１】図１１は、外部発振器を制御する場合のテーブルを示す図である。
【図１２】図１２は、第３の実施形態に係る多チャンネル無線信号処理集積回路の構成図である。
【図１３】図１３は、外部発振器を選択する場合のテーブルを示す図である。
【図１４】図１４は、本発明に係る多チャンネル無線信号処理集積回路を備えた多チャンネル放送受信装置の概観図である。
【図１５】図１５は、本発明に係る多チャンネル無線信号処理集積回路を備えた多チャンネル無線通信装置の概観図である。
【符号の説明】
【００２０】
１０Ａ−１０Ｃ  多チャンネル無線信号処理集積回路
１０１    アナログ信号処理部
１０２    デジタル信号処理部
１０３    動作クロック生成部
１０３ａ  分周器
１０３ｂ  ＰＬＬ
１０４    制御部
１０５    テーブル
１０６    選択部
３０Ａ−３０Ｃ  外部発振器
１００    デジタルテレビジョン受像機（多チャンネル放送受信装置）
２００    携帯電話機（多チャンネル無線通信装置）
【発明を実施するための最良の形態】
【００２１】
以下、本発明を実施するための最良の形態について、図面を参照しながら説明する。
【００２２】
（第１の実施形態）
図１は、第１の実施形態に係る多チャンネル無線信号処理集積回路の構成を示す。本集積回路１０Ａにおいて、アナログ信号処理部１０１は、アンテナ２０が受信する多チャンネル無線信号を受け、これから所望のチャンネルを選局する。具体的には、アナログ信号処理部１０１は、水晶振動子などの外部発振器３０Ａから供給される高精度の基準クロック信号ＲＥＦに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。動作クロック生成部１０３は、基準クロック信号ＲＥＦに基づいて動作クロック生成部１０２を駆動するための動作クロック信号ＣＫを生成する。制御部１０４は、動作クロック生成部１０３に制御信号ＣＴＬを出力して、動作クロック生成部１０３において生成すべき動作クロック信号ＣＫの周波数を指定する。テーブル１０５には当該指定に係る情報が格納されている。
【００２３】
具体的には、動作クロック生成部１０３は、分周比が可変の分周器で構成可能である。図２に示したように、制御信号ＣＴＬによって１／Ｎ分周が指定されているとき、分周器１０３ａは、周波数ｆ０の基準クロック信号ＲＥＦを１／Ｎ分周して周波数ｆ０／Ｎの動作クロック信号ＣＫを生成する。
【００２４】
また、具体的には、動作クロック生成部１０３はＰＬＬ（Phase Locked Loop）で構成可能である。図３に示したように、制御信号ＣＴＬによってＭ逓倍が指定されているとき、ＰＬＬ１０３ｂは、周波数ｆ０の基準クロック信号ＲＥＦをＭ逓倍して周波数Ｍｆ０の動作クロック信号ＣＫを生成する。ＰＬＬ１０３ｂは、基準クロック信号ＲＥＦの周波数を分数倍するものであってもよい。この場合、ＰＬＬ１０３ｂは、周波数Ｍ／Ｎｆ０の動作クロック信号ＣＫを生成する。
【００２５】
次に、ワンセグ放送を例に、制御部１０４による動作クロック信号ＣＫの周波数指定について説明する。図４は、２８ＭＨｚ及び３５ＭＨｚの動作クロック信号ＣＫの高調波とこれにより影響を受けるワンセグ放送のチャンネルとの関係を示した表である。同表からわかるように、２８ＭＨｚの動作クロック信号ＣＫの第１８次高調波その他は第１８チャンネルその他に干渉する。また、３５ＭＨｚの動作クロック信号ＣＫの第１８次高調波は第３９チャンネルに干渉する。したがって、アナログ信号処理部１０１で第１８チャンネルその他が選局されるときには動作クロック信号ＣＫの周波数を３５ＭＨｚに設定し、第３９チャンネルが選局されるときには２８ＭＨｚに設定する。
【００２６】
具体的には、図２に示したように動作クロック生成部１０３を分周器１０３ａで構成する場合、テーブル１０５は図５に示したようになる。基準クロック信号ＲＥＦの周波数が１４０ＭＨｚの場合、それを１／５又は１／４分周すれば２８ＭＨｚ又は３５ＭＨｚの動作クロック信号ＣＫが得られる。制御部１０４は、テーブル１０５を参照して、アナログ信号処理部１０１で選局されるチャンネルに応じて分周器１０３ａの分周比を指定する。すなわち、第１８チャンネルその他が選局されるときには分周器１０３ａに１／４分周を指定する。一方、第３９チャンネルが選局されるときには分周器１０３ａに１／５分周を指定する。なお、第１３チャンネルその他が選局されるときには動作クロック信号ＣＫの周波数は２８ＭＨｚ及び３５ＭＨｚのいずれであってもよいため、分周器１０３ａに１／５又は１／４分周を指定する。
【００２７】
また、具体的には、図３に示したように動作クロック生成部１０３をＰＬＬ１０３ｂ（特に、逓倍ＰＬＬ）で構成する場合、テーブル１０５は図６に示したようになる。基準クロック信号ＲＥＦの周波数が７ＭＨｚの場合、それを４又は５逓倍すれば２８ＭＨｚ又は３５ＭＨＺの動作クロック信号ＣＫが得られる。制御部１０４は、テーブル１０５を参照して、アナログ信号処理部１０１で選局されるチャンネルに応じてＰＬＬ１０３ｂの出力周波数を指定する。すなわち、第１８チャンネルその他が選局されるときにはＰＬＬ１０３ｂに５逓倍を指定する。一方、第３９チャンネルが選局されるときにはＰＬＬ１０３ｂに４逓倍を指定する。なお、第１３チャンネルその他が選局されるときには動作クロック信号ＣＫの周波数は２８ＭＨｚ及び３５ＭＨｚのいずれであってもよいため、ＰＬＬ１０３ｂに４又は５逓倍を指定する。
【００２８】
一方、図７は、２８ＭＨｚ及び３０ＭＨｚの動作クロック信号ＣＫの高調波とこれにより影響を受けるワンセグ放送のチャンネルとの関係を示した表である。同表からわかるように、２８ＭＨｚの動作クロック信号ＣＫの第１８次高調波その他は第１８チャンネルその他に干渉する。また、３０ＭＨｚの動作クロック信号ＣＫの第１６次高調波その他は第１４チャンネルその他に干渉する。したがって、アナログ信号処理部１０１で第１８チャンネルその他が選局されるときには動作クロック信号ＣＫの周波数を３０ＭＨｚに設定し、第１４チャンネルその他が選局されるときには２８ＭＨｚに設定する。
【００２９】
具体的には、図３に示したように動作クロック生成部１０３をＰＬＬ１０３ｂ（特に、分周倍ＰＬＬ）で構成する場合、テーブル１０５は図８に示したようになる。基準クロック信号ＲＥＦの周波数が２４ＭＨｚの場合、それを７／６又は５／４倍すれば２８ＭＨｚ又は３０ＭＨＺの動作クロック信号ＣＫが得られる。制御部１０４は、テーブル１０５を参照して、アナログ信号処理部１０１で選局されるチャンネルに応じてＰＬＬ１０３ｂの出力周波数を指定する。すなわち、第１４チャンネルその他が選局されるときにはＰＬＬ１０３ｂに７／６倍を指定する。一方、第１８チャンネルその他が選局されるときにはＰＬＬ１０３ｂに５／４倍を指定する。なお、第１３チャンネルその他が選局されるときには動作クロック信号ＣＫの周波数は２８ＭＨｚ及び３０ＭＨｚのいずれであってもよいため、ＰＬＬ１０３ｂに７／６又は５／４倍を指定する。
【００３０】
以上、本実施形態によると、多チャンネル無線信号処理集積回路において、デジタル信号処理部の動作クロック信号の高調波に起因してアナログ信号処理部における受信チャンネルの受信感度が劣化することがない。
【００３１】
なお、動作クロック生成部１０３をＰＬＬで構成した場合、ＰＬＬループ帯域内の位相ノイズの高調波が受信チャンネルに干渉して受信感度が劣化するおそれがある。例えば、動作クロック生成部１０３からデジタル信号処理部１０２に２７.５ＭＨｚの動作クロック信号ＣＫが供給されている場合、その第１９次高調波（周波数５２２．５ＭＨｚ）はワンセグ放送の第２１チャンネルの中心周波数５２２ＭＨｚから５００ｋＨｚだけずれているが、位相ノイズの高調波が当該チャンネルに干渉することによって当該チャンネルの受信感度が劣化してしまう。したがって、動作クロック生成部１０３をＰＬＬで構成する場合には、位相ノイズの高調波をも考慮して動作クロック信号ＣＫを生成することが好ましい。
【００３２】
（第２の実施形態）
図９は、第２の実施形態に係る多チャンネル無線信号処理集積回路の構成を示す。本集積回路１０Ｂにおいて、アナログ信号処理部１０１は、アンテナ２０が受信する多チャンネル無線信号を受け、これから所望のチャンネルを選局する。具体的には、アナログ信号処理部１０１は、水晶発振器などの外部発振器３０Ｂから供給される高精度の基準クロック信号ＲＥＦに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。デジタル信号処理部１０２は、基準クロック信号ＲＥＦを動作クロック信号ＣＫとして受けて動作する。制御部１０４は、外部発振器３０Ｂに制御信号ＣＴＬを出力して、発振すべき周波数を指定する。テーブル１０５には当該指定に係る情報が格納されている。
【００３３】
図１０に示したように、外部発振器３０Ｂの発振周波数は制御信号ＣＴＬの電圧に応じて変化する。例えば、３．１Ｖ又は３．８Ｖの制御信号ＣＴＬを与えることにより、外部発振器３０Ｂは２８ＭＨｚ又は３５ＭＨｚで発振する。これら周波数の動作クロック信号ＣＫの高調波とこれにより影響を受けるワンセグ放送のチャンネルとの関係は図４に示したとおりである。したがって、外部発振器３０Ｂを３．１Ｖ又は３．８Ｖの制御信号ＣＴＬで制御する場合、テーブル１０５は図１１に示したようになる。制御部１０４は、テーブル１０５を参照して、アナログ信号処理部１０１で選局されるチャンネルに応じて外部発振器３０Ｂの発振周波数を指定する。すなわち、第１８チャンネルその他が選局されるときには制御信号ＣＴＬを３．８Ｖに設定する。一方、第３９チャンネルが選局されるときには制御信号ＣＴＬを３．１Ｖに設定する。なお、第１３チャンネルその他が選局されるときには動作クロック信号ＣＫの周波数は２８ＭＨｚ及び３５ＭＨｚのいずれであってもよいため、制御信号ＣＴＬを３．１Ｖ又は３．８Ｖに設定する。
【００３４】
以上、本実施形態によると、デジタル信号処理部の動作クロック信号を生成する回路を備える必要がないため、第１の実施形態と比較して回路規模を小さくすることができる。なお、基準クロック信号ＲＥＦの波形整形をするためにバッファ回路を設けてもよい。
【００３５】
（第３の実施形態）
図１２は、第３の実施形態に係る多チャンネル無線信号処理集積回路の構成を示す。本集積回路１０Ｃにおいて、選択部１０６は、水晶振動子などの外部発振器３０Ｃから互いに異なる二つの基準クロック信号ＲＥＦ１及びＲＥＦ２を受け、これらのいずれか一方を動作クロック信号ＣＫとして選択的に出力する。アナログ信号処理部１０１は、アンテナ２０が受信する多チャンネル無線信号を受け、これから所望のチャンネルを選局する。具体的には、アナログ信号処理部１０１は、動作クロック信号ＣＫに基づいてローカル信号を生成し、このローカル信号を用いて所望のチャンネルを選局する。デジタル信号処理部１０２は、アナログ信号処理部１０１によって選局されたチャンネルの信号についてデジタル復調を行う。例えば、デジタルテレビジョン放送の場合、デジタル復調によって、映像、音声、字幕その他のデータが抽出される。デジタル信号処理部１０２は、選択部１０６から出力される動作クロック信号ＣＫに同期して動作する。制御部１０４は、選択部１０６に制御信号ＣＴＬを出力して、選択部１０６による信号選択を制御する。テーブル１０５には当該制御に係る情報が格納されている。
【００３６】
例えば、基準クロック信号ＲＥＦ１及びＲＥＦ２の周波数が、それぞれ、２８ＭＨｚ及び３５ＭＨｚの場合、これら周波数の動作クロック信号ＣＫの高調波とこれにより影響を受けるワンセグ放送のチャンネルとの関係は図４に示したとおりである。したがって、外部発振器３０Ｃから２８ＭＨｚ及び３５ＭＨｚの基準クロック信号ＲＥＦ１及びＲＥＦ２を受ける場合、テーブル１０５は図１３に示したようになる。制御部１０４は、テーブル１０５を参照して、アナログ信号処理部１０１で選局されるチャンネルに応じて選択部１０６に信号選択を指示する。すなわち、第１８チャンネルその他が選局されるときには基準クロック信号ＲＥＦ２の選択を指示する。一方、第３９チャンネルが選局されるときには基準クロック信号ＲＥＦ１の選択を指示する。なお、第１３チャンネルその他が選局されるときには動作クロック信号ＣＫの周波数は２８ＭＨｚ及び３５ＭＨｚのいずれであってもよいため、基準クロック信号ＲＥＦ１又はＲＥＦ２の選択を指示する。
【００３７】
以上、本実施形態によると、制御部の構成が第１及び第２の実施形態のときよりも簡略化されるため、全体の回路規模をより一層小さくすることができる。なお、アナログ信号処理部１０１に、選択部１０６から出力される動作クロック信号ＣＫではなく、基準クロック信号ＲＥＦ１及びＲＥＦ２のいずれか一方を固定的に与えるようにしてもよい。
【００３８】
なお、上記の各実施形態において、３種類以上の動作クロック信号ＣＫを適宜切り替えてデジタル信号処理部１０２を動作させるようにしてもよい。また、テーブル１０５は省略可能である。テーブル１０５を省略する場合、制御部１０４において、アナログ信号処理部１０１で選局されるチャンネルに応じて当該チャンネルに干渉しないような動作クロック信号の周波数を算出するようにすればよい。
【００３９】
また、本発明は受信系に限定されず、送信系にも適用可能である。送信システムを実現する場合には、アナログ信号処理部の送信チャンネルに、デジタル信号処理部の動作クロック信号の高調波が干渉しないように動作クロック信号の周波数を決定すればよい。
【００４０】
また、上記の各実施形態において、アナログ信号処理部１０１、デジタル信号処理部１０２その他の各構成要素は、必ずしも同一チップに集積されていなくてもよい。
【００４１】
（応用製品）
図１４は、本発明に係る多チャンネル無線信号処理集積回路を備えた多チャンネル放送受信装置の概観を示す。多チャンネル放送受信装置として、例えば、デジタルテレビジョン受像機１００は、本発明に係る多チャンネル無線信号処理集積回路１０を備えている。また、図１５は、本発明に係る多チャンネル無線信号処理集積回路を備えた多チャンネル無線通信装置の概観を示す。多チャンネル無線通信装置として、例えば、携帯電話機２００は、本発明に係る多チャンネル無線信号処理集積回路１０を備えている。
【産業上の利用可能性】
【００４２】
本発明に係る多チャンネル無線信号処理集積回路は、全チャンネルについて高い受信感度特性を有するため、広帯域・多チャンネルのデジタルテレビジョン放送を受信する多チャンネル放送受信装置や、広帯域・多チャンネルの無線通信信号を送受信する多チャンネル無線通信装置などに有用である。
【手続補正３】
【補正対象書類名】図面
【補正対象項目名】全図
【補正方法】変更
【補正の内容】
【図１】
2008099545.tif 000018
【図２】
2008099545.tif 000019
【図３】
2008099545.tif 000020
【図４】
2008099545.tif 000021
【図５】
2008099545.tif 000022
【図６】
2008099545.tif 000023
【図７】
2008099545.tif 000024
【図８】
2008099545.tif 000025
【図９】
2008099545.tif 000026
【図１０】
2008099545.tif 000027
【図１１】
2008099545.tif 000028
【図１２】
2008099545.tif 000029
【図１３】
2008099545.tif 000030
【図１４】
2008099545.tif 000031
【図１５】
2008099545.tif 000032
【国際調査報告】
2008099545.tif 000033
2008099545.tif 000034
2008099545.tif 000035